(57)【特許請求の範囲】
【請求項１】
移送される原稿上の画像を所定の読取位置にて前記原稿の下側から読み取るようにした画像読取装置において、前記原稿の読取面から落下された異物を収容する凹部を前記読取位置に至る原稿移送経路の下側に設け、前記凹部は該凹部を構成する紙送り方向の送り込み側の側壁及び送り出し側の側壁のうち送り出し側の側壁上面に斜面を備え、前記凹部内には前記斜面よりも原稿移送経路側へ突出形成されて前記原稿の読取面に付着した異物を除去する除去手段を設けた画像読取装置。
【請求項２】
請求項１に記載の画像読取装置において、前記凹部を構成する紙送り方向の送り込み側の側壁及び送り出し側の側壁のうち送り出し側の側壁に近接して前記除去手段を設けた画像読取装置。
【請求項３】
請求項１又は請求項２に記載の画像読取装置において、前記除去手段をブラシで構成した画像読取装置。
【請求項４】
請求項１〜請求項３のいずれか１項に記載の画像読取装置において、前記斜面を紙送り方向の送り出し側から送り込み側に向かって下降傾斜させた画像読取装置。
【発明の詳細な説明】
【０００１】
【発明の属する技術分野】
この発明はコピー機、ファクシミリ装置等に装備され、１枚ずつ移送される原稿の画像を読取るようにした画像読取装置に関するものである。
【０００２】
【従来の技術】
この種の画像読取装置は、原稿の画像を、その移送中に所定の読取位置において読取るようになっている。
【０００３】
【発明が解決しようとする課題】
しかしながら、原稿上には、消ゴムのカス、ローラ摩耗によるゴムカス、紙粉、塵埃などの異物が付着することが多い。従って、その状態で画像読取が行われると、記録画像に異物がそのまま記録されたり、あるいは、読取部における異物の移動で黒や白い筋状のものが記録されたりして、画像品質を悪化させる原因となっていた。
【０００４】
この発明は、上記のような問題点に着目してなされたもので、その目的は、画像の読取前に原稿上の異物を除去して、記録画像の品質を向上させることができる画像読取装置を提供することにある。
【０００５】
【課題を解決するための手段】
以上の目的を達成するために、この発明においては以下のように構成した。
請求項１に記載の発明においては、移送される原稿上の画像を所定の読取位置にて前記原稿の下側から読み取るようにした画像読取装置において、前記原稿の読取面から落下された異物を収容する凹部を前記読取位置に至る原稿移送経路の下側に設け、前記凹部は該凹部を構成する紙送り方向の送り込み側の側壁及び送り出し側の側壁のうち送り出し側の側壁上面に斜面を備え、前記凹部内には前記斜面よりも原稿移送経路側へ突出形成されて前記原稿の読取面に付着した異物を除去する除去手段を設けた。
【０００６】
請求項２に記載の発明においては、請求項１に記載の画像読取装置において、前記凹部を構成する紙送り方向の送り込み側の側壁及び送り出し側の側壁のうち送り出し側の側壁に近接して前記除去手段を設けた。
【０００７】
請求項３に記載の発明においては、請求項１又は請求項２に記載の画像読取装置において、前記除去手段をブラシから構成した。
【０００８】
請求項４に記載の発明においては、請求項１〜請求項３のいずれか１項に記載の画像読取装置において、前記斜面を紙送り方向の送り出し側から送り込み側に向かって下降傾斜させた。
【０００９】
従って、請求項１〜請求項４のいずれか１項に記載の発明によれば、原稿画像の読取前に、その原稿上の異物が除去手段で除去されて凹部に収容される。
【００１０】
【発明の実施の形態】
（第１の参考例）
この発明の第１の参考例を図１及び図２に基づいて、以下に説明する。
【００１１】
図１に示すように、装置本体１１の下部には記録紙をストックするための記録紙カセット１３、その記録紙カセット１３から送給された記録紙に記録を行うための記録機構１２及び記録済の記録紙を受けるための記録紙トレイ１４が設けられている。
【００１２】
装置本体１１の上部には画像読取装置２１が設けられており、以下にその構成を詳細に説明する。
画像読取装置２１は第１、第２の透光板２２，２３を備え、第１の透光板２２の上面が静止原稿の読取位置を構成する。第２の透光板２３の上面は移動原稿の読取位置を構成する。両透光板２２，２３の下部には原稿に光を照射する光源２４と、原稿からの反射光の行路を変更する複数の反射ミラー２５と、光を集光させる集光レンズ２６と、原稿上の画情報を読み取るための撮像素子２７とが備えられている。そして、移動原稿を読み取る場合には、光源２４が第２の透光板２３の下方に停止配置され、また、静止原稿を読み取る場合には、原稿及び対物側の反射ミラー２５が第１の透光板２２の下面に沿って移動される。カバー３１は装置本体１１上に開閉可能に配置されている。そのカバー３１は画像読取前の移動原稿をストックする原稿供給トレイ３２と、画像読取後の移動原稿をストックする原稿排出トレイ３３と、それらの両トレイ３３，３２の間に配置されたガイド機構３４とを備えている。
【００１３】
原稿供給トレイ３２とガイド機構３４との境界部付近において、ガイド機構３４内には原稿を１枚ずつ分離するための分離ローラ３５，３６が設けられている。その分離ローラ３５，３６と、原稿排出トレイ３３との間には複数の移送ローラ３７が設けられ、分離ローラ３５，３６によって分離された移動原稿に移送力が付与される。図２に示すように、分離ローラ３５，３６と、前記第２の透光板２３との間には原稿移送経路４１を形成するためのガイド板３８，３９が配置されている。第２の透光板２３に至る原稿移送経路４１であって、第２の透光板２３の直近に位置する一方のガイド板３９には原稿移送経路４１の幅方向に延びる凹部４０が形成されている。凹部４０の第２の透光板２３側の端縁には紙送り方向の送り込み側に向かって下降傾斜する斜面４０ａが形成され、移動原稿の先端が凹部４０の開口縁に引掛かるのを防いで、紙詰まりを未然に防止できるようになっている。
【００１４】
さて、原稿供給トレイ３２上の移動原稿の画像読取に際して、その原稿は分離ローラ３５，３６により１枚ずつ分離されてガイド板３８，３９に沿う原稿移送経路４１に沿って第２の透光板２３上を通過するように移送される。そして、この第２の透光板２３上において原稿上の画像が読み取られる。読取られた画像のデータは電話回線を介して送信されたり、記録機構１２において記録紙上に記録されたりする。
【００１５】
そして、原稿が原稿移送経路４１を通過する際、原稿の読取面側に付着したゴミなどの異物は、凹部４０内に落下収容される。その異物の凹部４０に対する収容は、原稿上から凹部４０内に直接落下されたり、あるいは凹部４０に至る前に落下されて、ガイド板３９に沿って凹部４０内に導かれたりする。
【００１６】
従って、この第１の参考例においては以下のような効果を発揮する。
（１）移動原稿が第２の透光板２３上の読取位置に至る前に、その原稿上のゴミなどの異物が除去されるため、記録画像に異物がそのまま記録されたり、あるいは黒や白の筋状のものが記録されたりすることを防止でき、画像品質を向上させることができる。
（２）その異物除去のための構成としては、ガイド板３９に凹部４０を設けただけであるから、異物除去のための新たな部品を付加する必要がなく、構成が簡単である。
（３）第２の透光板２３に移動原稿が至る前に異物が除去されるため、第２の透光板２３の上面が汚れるのを抑制でき、第２の透光板２３の清掃のための手間を減らすことができる。
（４）凹部４０の第２の透光板２３側の端縁、すなわち紙送り方向の送り出し側端縁に紙送り方向の送り込み側に向かって下降傾斜する斜面４０ａが形成されているため、移動原稿の先端が凹部４０の開口縁に引掛かるのを防いで、紙詰まりを未然に防止できる。
【００１７】
（第２の参考例）
次に、第２の参考例について、第１の参考例と異なる部分を中心に図３及び図４に基づいて、以下に説明する。
【００１８】
この第２の参考例においては、凹部４０の上端開口を補助ガイド板４２で覆い、その補助ガイド板４２には原稿移送経路４１に沿って延びる複数のスリット４３が透設されている。
【００１９】
従って、この第２の参考例においては、凹部４０の上端開口が補助ガイド板４２により覆われているため、移動原稿を補助ガイド板４２に沿って円滑に移送することができる。しかも、補助ガイド板４２は複数のスリット４３を有するため、この補助ガイド板４２が異物の収容の支障になることはない。
【００２０】
（第３の参考例）
次に、第３の参考例について、第１及び第２の参考例と異なる部分を中心に図５に基づいて、以下に説明する。
【００２１】
この第３の参考例においては、第２の透光板２３に至る原稿移送経路４１において、その原稿移送経路４１に沿って延びる複数の突条４４を一方のガイド板３９に形成するとともに、その突条４４間に異物収容のための連続凹部４５を形成したものである。
【００２２】
従って、この第３の参考例においては、ガイド板３９と移動原稿との接触面積が小さくなり、それらの両者間の摩擦抵抗が低下して、移動原稿を円滑に送ることができる。
【００２３】
（本願の実施形態）
次に、本願の実施形態について、第１、第２及び第３の参考例と異なる部分を中心に図６に基づいて、以下に説明する。
【００２４】
この本願の実施形態においては、凹部４０の内部に、異物除去のための除去手段としてのブラシ４６を設けるとともに、凹部４０の底壁に異物排出用の孔４７を設けたものである。
【００２５】
従って、原稿上の異物はブラシ４６によって確実にかき落とされ、そのかき落とされた異物は孔４７から排出されて、凹部４０内の異物の清掃が容易である。
なお、この発明は次のように変更しても具体化することが可能である。
（ａ）凹部４０の位置を変更すること。例えば、凹部４０を原稿トレイ３２の送り出し側の端部に設けること。
（ｂ）図６に示す異物排出用の孔４７を参考例の凹部４０の底壁にも設けること。
（ｃ）異物排出用の孔４７を装置の外側面に開口し、孔４７と前記開口とを導く通路を設けること。このように構成すれば、孔４７から異物が装置外側へ排出され、清掃等の取り扱い上便利である。
（ｄ）図５に示す参考例と、他の参考例若しくは本願の実施形態を組み合わせること。つまり、凹部４０よりも原稿送り込み側のガイド板３９にその凹部４０に連続凹部４５を形成すること。このように構成すれば、連続凹部４５で落下された異物が凹部４０内に確実に収容される。
【００２６】
さらに、前記実施形態及び参考例より把握される技術的思想について、以下に記載する。
（１）凹部４０の底壁に異物排出用の孔４７を設けた画像読取装置。このように構成すれば、異物を凹部４０から容易に除去できる。
（２）除去手段を異物をかき落とすためのかき落とし手段４６から構成した画像読取装置。このように構成すれば、原稿からの異物の除去が確実に行われる。
（３）凹部４０の紙送り方向の送り出し側端縁に送り込み側に向かって下降傾斜する斜面４０ａを形成した画像読取装置。このように構成すれば、紙詰まりを未然に防止できる。
【００２７】
【発明の効果】
以上の実施形態に例示したように、この発明は以下のような効果を奏する。
本願発明によれば、原稿上の異物を除去することができて、画像品質を向上させることができる。
【図面の簡単な説明】
【図１】  この発明を具体化したファクシミリ装置の断面図。
【図２】  第１の参考例を示す一部断面図。
【図３】  第２の参考例を示す一部断面図。
【図４】  同じく、平面図。
【図５】  第３の参考例を示す一部断面図。
【図６】  本願の実施形態を示す一部断面図。
【符号の説明】
１１…装置本体、１２…記録機構、２１…画像読取装置、３２…原稿供給トレイ、３８、３９…ガイド部材としてのガイド板、４０…凹部、４０ａ…斜面、４１…原稿移送経路、４４…突条、４５…凹部としての連続凹部、４６…除去手段としてのブラシ、４７…孔。
【図１】
0003682499.tif 000002
【図２】
0003682499.tif 000003
【図３】
0003682499.tif 000004
【図４】
0003682499.tif 000005
【図５】
0003682499.tif 000006
【図６】
0003682499.tif 000007